(57)【特許請求の範囲】
【請求項１】
血流測定のためにドップラ超音波振動子を位置付ける方法であって、
患者の動脈上に置かれる膨張カフから圧力振動信号を検出するステップと、
前記動脈に沿って置かれる前記ドップラ超音波振動子から超音波パルス信号を検出するステップと、
前記圧力振動信号と前記超音波パルス信号から第１の信号を導出し、当該第１の信号は前記圧力振動信号と前記超音波パルス信号の間の同期の程度を示す、ステップと、
前記第１の信号が所定条件を満たすときに前記ドップラ超音波振動子が所望の位置にあることを示す表示信号を出力するステップとを有する、方法。
【請求項２】
前記第１の信号が前記圧力振動信号の二つの連続ピーク間で測定される時間間隔Δｔｏｓｉ（i＝１…ｎ）と、前記超音波パルス信号の二つの対応する連続パルス間で測定される時間間隔Δｔｕｓｉ（i＝１…ｎ）から導出される、請求項１に記載の方法。
【請求項３】
前記第１の信号が（Δｔｕｓｉ−Δｔｏｓｉ）／Δｔｏｓｉを計算することによって導出され、前記第１の信号は（Δｔｕｓｉ−Δｔｏｓｉ）／Δｔｏｓｉ≦８％、ｎは少なくとも２である場合に前記所定条件を満たす、請求項２に記載の方法。
【請求項４】
ｎが５である請求項３に記載の方法。
【請求項５】
患者の動脈上に置かれる膨張カフから圧力振動信号を検出するステップが、
前記圧力振動信号が検出されるかどうかを決定するために前記膨張カフと接続される圧力センサによって得られる圧力信号を処理するステップと、前記圧力振動信号が検出されない場合前記膨張カフ内の圧力を増加させるステップとを有する、請求項１に記載の方法。
【請求項６】
前記膨張カフ内の圧力が約８０ｍｍＨｇに増加される、請求項５に記載の方法。
【請求項７】
前記動脈に沿って置かれるドップラ超音波振動子から超音波パルス信号を検出するステップが、
前記圧力振動信号が検出される場合に前記動脈に沿って置かれるドップラ超音波振動子からの超音波信号がパルス信号であるかどうかを決定するステップを有する、請求項５に記載の方法。
【請求項８】
前記動脈に沿って置かれるドップラ超音波振動子からの超音波信号がパルス信号でない場合に前記ドップラ超音波振動子を移動させるように前記オペレータに指示する指示信号を出力するステップをさらに有する、請求項７に記載の方法。
【請求項９】
前記表示信号を出力するステップが、
前記ドップラ超音波振動子の表示ランプを点灯させるステップ若しくはドップラ超音波装置の表示画面上のドップラ超音波振動子の色を変化させるステップを有する、請求項１に記載の方法。
【請求項１０】
血流測定のためにドップラ超音波振動子を位置付けるための装置であって、
患者の動脈上に置かれる膨張カフから圧力振動信号を検出するための第１の検出器と、
前記動脈に沿って置かれる前記ドップラ超音波振動子から超音波パルス信号を検出するための第２の検出器と、
前記圧力振動信号と前記超音波パルス信号から第１の信号を導出するためのプロセッサであって、当該第１の信号は前記圧力振動信号と前記超音波パルス信号の間の同期の程度を示す、プロセッサと、
前記第１の信号が所定条件を満たす場合に前記ドップラ超音波振動子が所望の位置にあることを示す表示信号を出力するためのインターフェースとを有する、装置。
【請求項１１】
前記プロセッサが、前記圧力振動信号の二つの連続ピーク間で測定される時間間隔Δｔｏｓｉ（i＝１…ｎ）及び前記超音波パルス信号の二つの対応する連続パルス間で測定される時間間隔Δｔｕｓｉ（i＝１…ｎ）から前記第１の信号を導出する、請求項１０に記載の装置。
【請求項１２】
前記第１の信号が（Δｔｕｓｉ−Δｔｏｓｉ）／Δｔｏｓｉを計算することによって導出され、前記第１の信号は（Δｔｕｓｉ−Δｔｏｓｉ）／Δｔｏｓｉ≦８％、ｎは少なくとも２である場合に前記所定条件を満たす、請求項１１に記載の装置。
【請求項１３】
前記第１の検出器が、前記圧力振動信号が検出されるかどうかを決定するために前記膨張カフと接続される圧力センサによって得られる圧力信号を処理すること、及び前記圧力振動信号が検出されない場合前記膨張カフ内の圧力を増加させることによって圧力振動信号を検出する、請求項１０に記載の装置。
【請求項１４】
前記第２の検出器が、前記圧力振動信号が検出される場合に前記動脈に沿って置かれるドップラ超音波振動子からの超音波信号がパルス信号であるかどうかを決定することによって超音波パルス信号を検出する、請求項１３に記載の装置。
【請求項１５】
血流測定のためのシステムであって、
患者の動脈上に置かれるカフと、
前記動脈に沿って置かれるドップラ超音波振動子と、
請求項１０乃至１４のいずれか一項に記載の血流測定のために超音波振動子を位置付けるための装置とを有する、システム。
【発明の詳細な説明】
【技術分野】
【０００１】
本発明はドップラ超音波、特に血流測定のためにドップラ超音波振動子を位置付けるための方法と装置、及び血流測定のためのシステムに関する。
【背景技術】
【０００２】
ドップラ超音波は臨床用途において血流速度を測定するために広く使用される。図１は血流を測定するためのドップラ超音波の動作原理を示す。血圧測定を実行するために、患者の腕のまわりにカフが設けられ、カフ内のエアバッグが膨張されてカフ内の圧力を増加する。圧力が所定レベル（収縮期圧よりも高い）まで増加すると、動脈が閉塞され、そしてエアバッグがゆっくりと収縮される。エアバッグ内の圧力が収縮期圧と等しくなるとき、動脈が開かれ血流が回復する。収縮過程を観察するためにドップラ超音波１１が適用されるとき、これは動脈が開いているときの信号を検出する。この瞬間におけるカフ内の対応する圧力が収縮期圧である。ドップラ超音波は収縮期圧を測定するための代表的方法として使用される。
【０００３】
しかしながら、図１に図示の通り、ドップラ超音波１１は動脈１４内の血流１５へ向かってドップラ超音波信号１２を送信し、信号は小さな範囲に限定される。動脈がその範囲内にない場合、ドップラ超音波は反射信号１３を測定することができない。従って、ドップラ超音波振動子の位置は、血流の反射ドップラ超音波信号を鮮明に検出するためによいＳＮＲを得ることができるように、動脈上に置かれるように調節されるべきである。さらに、この位置は測定手順中維持されるべきである。
【０００４】
ドップラ超音波振動子がうまく配置されていることを確認するために、振動子を位置付けるための従来の手順は、例えば医師若しくは医者の、自身の経験に従った、オペレータの判断を必要とする。
【０００５】
具体的に、オペレータは患者の腕若しくは足首の上に、ほぼ動脈の上になり得るように振動子を置く。このステップの後、オペレータはドップラ超音波の音声出力を聴き、自身の経験に従って、動脈の血流を反映する明瞭で規則的な音声出力が聴こえる場合、オペレータは振動子がうまく配置されていると判断する。そうでなければ、振動子の位置は明瞭で規則的な音が聴こえるまで調節されるべきである。
【０００６】
振動子を位置付ける上記手順はドップラ超音波の音声出力に基づいてオペレータの判断を必要とするので、自動ではなく、従ってあまり便利でない。さらに、ＡＢＩ測定では、四肢での超音波信号が測定され、従って音声出力は振動子位置付け手順中に互いに干渉することになり、振動子がうまく配置されているかどうかオペレータが判断するのはより難しくなる。
【０００７】
振動子を位置付ける従来の手順に加えて、信号がパルス信号かどうかを決定するためにドップラ超音波信号を処理する処理ユニットを使用することが当業者に容易に想到され得る。
【０００８】
しかしながら、信号がパルス信号であっても、必ずしも動脈の血流を反映していないかもしれない。例えば、パルス信号は振動子付近の筋肉の動き（ｆｌａｐｐｉｎｇ）によって生じ得る。
【０００９】
従って、一方で、ドップラ超音波信号がパルス信号であるかどうかを単純に決定することによって振動子がうまく配置されているかどうかを決定することは十分に正確でないかもしれず、何か間違いを生じ得る。
【００１０】
他方で、この位置付け手順を正確にするために、検出されたドップラ超音波信号がパルス信号であると決定されるとき、超音波パルス信号はパルス信号が本当に動脈の血流を反映する信号であると決定するために複雑なアルゴリズムと処理を用いて適用されるべきである。
【発明の概要】
【発明が解決しようとする課題】
【００１１】
本発明はドップラ超音波から検出されるパルス信号が動脈の血流を反映する信号であることを確認するために基準が導入され得るという洞察に基づく。
【００１２】
具体的に、本発明者らはカフ圧力振動信号が血流によって生じる超音波パルス信号と同期することを発見した。この所見の裏にある根拠は、パルス波の特性である。心収縮後、血流のパルス波は動脈をつたって伝播する。パルス波はカフ内で振動信号を生じ、動脈内の血流の速度の増加も引き起こす。ドップラ超音波信号は血流速度とともに増加するので、パルス信号が観察されることができる。圧力振動信号と超音波パルス信号は同じパルス波信号に関連するので、振動信号と超音波信号は同期されるはずである。
【課題を解決するための手段】
【００１３】
本発明は上記概念を実現する血流測定のためにドップラ超音波振動子を位置付けるための方法と装置を提供する。
【００１４】
本発明の一態様によれば、血流測定のためにドップラ超音波振動子を位置付ける方法が提供され、方法は、
患者の動脈上に置かれる膨張カフから圧力振動信号を検出するステップと、
動脈に沿って置かれるドップラ超音波振動子から超音波パルス信号を検出するステップと、
圧力振動信号と超音波パルス信号から第１の信号を導出し、第１の信号は圧力振動信号と超音波パルス信号の間の同期の程度を示す、ステップと、
第１の信号が所定条件を満たすときにドップラ超音波振動子が所望の位置にあることを示す表示信号を出力するステップとを有する。
【００１５】
本発明の方法により、オペレータはもはや超音波信号の音声出力を聴く必要がなく、従って位置付け手順が自動的に実行されることができるので、その結果オペレータの関与を可能な限り減らすことができる。
【００１６】
さらに、カフ圧力振動信号と血流によって生じる超音波信号の同期特性が、振動子がうまく配置されているかどうかを決定するために利用されるので、パルス信号であるが動脈の血流を反映しない超音波信号は、圧力振動信号と同期していないことがわかり、従って位置付け精度が改善され得る。
【００１７】
本発明の一実施形態において、第１の信号は圧力振動信号の二つの連続ピーク間で測定される時間間隔Δｔｏｓｉ（ｉ＝１…ｎ）と超音波パルス信号の二つの対応する連続パルス間で測定される時間間隔Δｔｕｓｉ（ｉ＝１…ｎ）から導出される。
【００１８】
さらなる実施形態において、第１の信号は（Δｔｕｓｉ−Δｔｏｓｉ）／Δｔｏｓｉを計算することによって導出され、第１の信号は（Δｔｕｓｉ−Δｔｏｓｉ）／Δｔｏｓｉ≦８％、ｎは少なくとも２である場合に所定条件を満たす。
【００１９】
本発明者らの研究によれば、理論上はこれら二つの信号が互いに同期する場合、上記で測定される時間間隔間の差はゼロになるはずであるが、時間間隔間の差は通常は一般に知られる測定誤差と時間遅延のためにおおよそゼロである。第１の信号を計算するための上記基準と所定条件により、上記の第１の信号は圧力振動信号と超音波パルス信号の間の同期の程度を示し、所定条件は同期の決定に関する精度を改善するためにそれに従って８％になるように選択される。
【００２０】
好適な実施形態において、振動子の位置付け精度が十分に改善され得るように、ｎは５である。
【００２１】
一実施形態において、患者の動脈上に置かれる膨張カフから圧力振動信号を検出するステップは、圧力振動信号が検出されるかどうかを決定するために膨張カフと接続される圧力センサによって得られる圧力信号を処理するステップと、圧力振動信号が検出されない場合に膨張カフ内の圧力を増加するステップとを有する。
【００２２】
さらなる実施形態において、膨張カフ内の圧力はカフからの圧力振動信号が測定され得ることを確実にするために約８０ｍｍＨｇまで増加される。
【００２３】
一実施形態において、動脈に沿って置かれるドップラ超音波振動子から超音波パルス信号を検出するステップは、圧力振動信号が検出される場合、動脈に沿って置かれるドップラ超音波振動子からの超音波信号がパルス信号であるかどうかを決定するステップを有する。
【００２４】
さらなる実施形態において、方法は動脈に沿って置かれるドップラ超音波振動子からの超音波信号がパルス信号でない場合にドップラ超音波振動子を移動させるようにオペレータに指示する指示信号を出力するステップをさらに有する。
【００２５】
一実施形態において、表示信号を出力するステップはドップラ超音波振動子の表示ランプを点灯させるステップ若しくはドップラ超音波装置の表示画面上のドップラ超音波振動子の色を変化させるステップを有する。
【００２６】
本発明の一実施形態において、方法は第１の信号が所定条件を満たさない場合にドップラ超音波振動子を移動させるようにオペレータに指示する指示信号を出力するステップをさらに有する。
【００２７】
本発明の他の目的及び結果は添付の図面と組み合わせて説明を参照することでより明らかとなり、容易に理解される。
【００２８】
本発明は図面を参照して実施形態と組み合わせて、以下により詳細に記載され説明される。
【図面の簡単な説明】
【００２９】
【図１】血流に対するドップラ超音波の原理を示す。
【図２】本発明の一実施形態にかかる血流測定のためにドップラ超音波振動子を位置付けるための装置のブロック図である。
【図３】振動信号と超音波信号の間の同期特性を示す。
【図４】本発明の一実施形態にかかる血流測定のためにドップラ超音波振動子を位置付ける方法のフローチャートを示す。
【発明を実施するための形態】
【００３０】
図中の同じ参照符号は同様の若しくは対応する特徴及び／又は機能を示す。
【００３１】
本発明の一実施形態は図面を参照してより詳細に以下に記載される。
【００３２】
図２は本発明の一実施形態にかかる血流測定のためにドップラ超音波振動子を位置付けるための装置２０のブロック図である。
【００３３】
図２を参照すると、装置２０は患者の動脈上に置かれる膨張カフから圧力振動信号を検出するための第１の検出器２１を有する。
【００３４】
一実施形態において、第１の検出器２１は圧力振動信号が検出されるかどうかを決定するために膨張カフと接続される圧力センサによって得られる圧力信号を処理し、オペレータは圧力振動信号が検出されない場合に膨張カフ内の圧力を増加させる。
【００３５】
動作中、カフは最初に適切な圧力に膨張され、これは動脈を閉塞する高い圧力である必要はない。圧力は圧力振動信号が検出されることができる限り許容可能である。実際、圧力が適切で、カフが動脈の上にうまく置かれる場合、動脈の血流のパルス波のためにカフ内で振動信号が生成される。
【００３６】
実際には、カフのエアバッグ内の圧力は約８０ｍｍＨｇに増加される。
【００３７】
装置２０は動脈に沿って置かれるドップラ超音波振動子から超音波パルス信号を検出するための第２の検出器２２をさらに有する。
【００３８】
この実施形態において、第２の検出器２２は第１の検出器２１の決定結果なしに、動脈に沿って置かれるドップラ超音波振動子からの超音波信号がパルス信号であるかどうかを直接決定する。
【００３９】
しかしながら、当業者に容易に理解される通り、別の実施形態において、第２の検出器２２は圧力振動信号が第１の検出器２１によって検出されるときのみ、動脈に沿って置かれるドップラ超音波振動子からの超音波信号がパルス信号であるかどうかを決定し得る。
【００４０】
実際には、振動子がうまく配置されていない場合、ドップラ超音波振動子からの超音波信号は非常に弱いか、若しくはパルス信号ではない可能性がある。その場合、超音波パルス信号は第２の検出器２２によって検出されることができず、これは振動子がうまく配置されていないことを意味する。
【００４１】
動脈に沿って置かれるドップラ超音波振動子からの超音波信号がパルス信号でない場合、ドップラ超音波振動子を移動させるようにオペレータに指示する指示信号が出力され得る。
【００４２】
装置２０は圧力振動信号と超音波パルス信号から第１の信号を導出するためのプロセッサ２３をさらに有し、第１の信号は圧力振動信号と超音波パルス信号の間の同期の程度を示す。
【００４３】
上述の通り、ドップラ超音波から検出される超音波パルス信号は動脈の血流を反映する信号であり、そして圧力振動信号と超音波パルス信号が動脈の血流の同じパルス波信号に関連することを考慮して、これら二つの信号は互いに同期するはずである。
【００４４】
実際には、振動子がうまく配置されていない場合、超音波信号がパルス信号であったとしても、これは圧力振動信号と同期せず、従ってドップラ超音波から検出されるパルス信号は動脈の血流を反映する信号ではなく何か他のものである。その場合、プロセッサ２３から導出される第１の信号はこれら二つの信号が互いに同期しないことを示し、これは振動子がうまく配置されていないことを意味する。
【００４５】
圧力振動信号と超音波パルス信号の間の同期の程度を示す第１の信号を導出する方法については、信号処理における多くの技術が使用され得ることが当業者に明らかであろう。詳細は図３を参照して以下でさらに詳述される。
【００４６】
装置２０は第１の信号が所定条件を満たすときにドップラ超音波振動子が所望の位置にあることを示す表示信号を出力するためのインターフェース２４をさらに有する。
【００４７】
実際には、表示信号は多くの形をとり得る。
【００４８】
例えば、ドップラ超音波振動子の表示ランプを点灯させる、若しくはドップラ超音波装置の表示画面上のドップラ超音波振動子の色を変化させる表示信号がインターフェース２４によって出力され得る。
【００４９】
本発明のさらなる実施形態において、第１の信号が所定条件を満たさない場合、インターフェース２４はドップラ超音波振動子を移動させるようにオペレータに指示する指示信号も出力する。
【００５０】
本発明のさらなる実施形態において、上述の通り、動脈に沿って置かれるドップラ超音波振動子からの超音波信号がパルス信号でない場合、インターフェース２４はドップラ超音波振動子を移動させるようにオペレータに指示する指示信号を出力し得る。
【００５１】
図３は振動信号と超音波信号の間の同期特性を示す。
【００５２】
図３に図示の通り、上部グラフはカフ圧力Ｓ１をあらわし、検出される振動信号Ｓ２とドップラ超音波信号Ｓ３との間にわずかな時間差があることが見てとれる。時間差はカフと振動子の間の距離及び血流速度によっても生じる。時々、振動子がカフから遠くに置かれるとき、これら二つの信号の間に遅延が生じる。しかしながら、カフ位置と振動子位置が固定されるとき、時間差は極めて安定である。
【００５３】
この点から見て、本発明にかかる一実施形態において、プロセッサ２３は二つの信号の時間間隔の間の時間差に従って第１の信号を導出する、これは二つの信号が同期する場合極めて小さいはずだからである。
【００５４】
本発明にかかる一実施形態において、第１の信号は圧力振動信号の二つの連続ピーク間で測定される時間間隔Δｔｏｓｉ（ｉ＝１…ｎ）と、超音波パルス信号の二つの対応する連続パルス間で測定される時間間隔Δｔｕｓｉ（ｉ＝１…ｎ）から導出される。
【００５５】
さらなる実施形態において、第１の信号は（Δｔｕｓｉ−Δｔｏｓｉ）／Δｔｏｓｉを計算することによって導出され、振動信号Δｔｏｓｉ（ｉ＝１…ｎ）の二つの連続ピーク間で測定される時間間隔と超音波パルス信号Δｔｕｓｉ（ｉ＝１…ｎ）の二つの対応する連続パルス間で測定される時間間隔が
（Δｔｕｓｉ−Δｔｏｓｉ）／Δｔｏｓｉ≦８％、ｎは少なくとも２
を満たす場合に、パルス信号が振動信号と同期すると決定される。
【００５６】
言い換えれば、第１の信号が上記所定条件を満たす場合、二つの信号が同期すると決定され、インターフェース２４はドップラ超音波振動子が所望の位置にあることを示す表示信号を出力する。
【００５７】
好適な実施形態において、決定の誤差を回避するために、従って位置付け精度を改善するために、ｎは５若しくはそれ以上であり得る。
【００５８】
上述の通り、本発明によれば、オペレータはもはや超音波信号の音声出力を聴く必要がなく、従って位置付け手順が自動的になされることができ、その結果オペレータの関与を可能な限り減らすことができる。
【００５９】
さらに、カフ圧力振動信号と血流によって生じる超音波信号の同期特性が、振動子がうまく配置されているかどうかを決定するために利用されるので、パルス信号であるが動脈の血流を反映していない超音波信号は、圧力振動信号と同期していないことが決定されることができ、従って位置付けの精度が改善されることができる。
【００６０】
図４は本発明の一実施形態にかかる血流測定のためにドップラ超音波振動子を位置付ける方法４０のフローチャートを示す。
【００６１】
図４に図示の通り、本発明にかかる方法４０は患者の動脈上に置かれる膨張カフから圧力振動信号を検出する検出ステップ４１を有する。ステップ４１の機能は第１の検出器２１によって実行され得る。
【００６２】
方法は動脈に沿って置かれるドップラ超音波振動子から超音波パルス信号を検出する検出ステップ４２をさらに有する。ステップ４２の機能は第２の検出器２２によって実行され得る。
【００６３】
方法は圧力振動信号と超音波パルス信号から第１の信号を導出する導出ステップ４３をさらに有し、第１の信号は圧力振動信号と超音波パルス信号の間の同期の程度を示す。ステップ４３の機能はプロセッサ２３によって実行され得る。
【００６４】
方法は第１の信号が所定条件を満たすときにドップラ超音波振動子が所望の位置にあることを示す表示信号を出力する出力ステップ４４をさらに有する。ステップ４４の機能はインターフェース２４によって実行され得る。
【００６５】
一実施形態において、患者の動脈上に置かれる膨張カフから圧力振動信号を検出する検出ステップ４１は、圧力振動信号が検出されるかどうかを決定するために膨張カフと接続される圧力センサによって得られる圧力信号を処理するステップと、圧力振動信号が検出されない場合膨張カフ内の圧力を増加するステップとを有する。
【００６６】
好適な実施形態において、膨張カフ内の圧力は約８０ｍｍＨｇに増加される。
【００６７】
一実施形態において、動脈に沿って置かれるドップラ超音波振動子から超音波パルス信号を検出する検出ステップ４２は、圧力振動信号が検出される場合に動脈に沿って置かれるドップラ超音波振動子からの超音波信号がパルス信号であるかどうかを決定するステップを有する。動脈に沿って置かれるドップラ超音波振動子からの超音波信号がパルス信号でない場合、ドップラ超音波振動子を移動させるようにオペレータに指示する指示信号が出力される。
【００６８】
一実施形態において、導出ステップ４３において、図３と併せて上記した通り、第１の信号は圧力振動信号の二つの連続ピーク間で測定される時間間隔Δｔｏｓｉ（ｉ＝１…ｎ）と、超音波パルス信号の二つの対応する連続パルス間で測定される時間間隔Δｔｕｓｉ（ｉ＝１…ｎ）から導出される。
【００６９】
さらなる実施形態において、第１の信号は（Δｔｕｓｉ−Δｔｏｓｉ）／Δｔｏｓｉを計算することによって導出され、振動信号の二つの連続ピーク間で測定される時間間隔Δｔｏｓｉ（ｉ＝１…ｎ）と超音波パルス信号の二つの対応する連続パルス間で測定される時間間隔Δｔｕｓｉ（ｉ＝１…ｎ）が
（Δｔｕｓｉ−Δｔｏｓｉ）／Δｔｏｓｉ≦８％、ｎは少なくとも２
を満たす場合に、パルス信号が振動信号と同期すると決定される。
【００７０】
言い換えれば、第１の信号が上記所定条件を満たす場合、二つの信号が互いに同期すると決定され、ドップラ超音波振動子が所望の位置にあることを示す表示信号が出力される。
【００７１】
好適な実施形態において、決定の誤差を回避するために、従って位置付けの精度を改善するために、ｎは５若しくはそれ以上であり得る。
【００７２】
一実施形態において、表示信号を出力する出力ステップ４４は、ドップラ超音波振動子の表示ランプを点灯させるステップ、若しくはドップラ超音波装置の表示画面上のドップラ超音波振動子の色を変化させるステップを有する。
【００７３】
本発明のさらなる実施形態において、方法は第１の信号が所定条件を満たさない場合にドップラ超音波振動子を移動させるようにオペレータに指示する指示信号を出力するステップをさらに有する。
【００７４】
当業者によって容易に理解される通り、ドップラ超音波振動子を位置付けるための上記の方法と装置は血流測定のためのシステムにおいて使用されることができ、これは患者の動脈上に置かれるカフ、動脈に沿って置かれるドップラ超音波振動子、及び本発明にかかる血流測定のためにドップラ超音波振動子を位置付けるための装置２０を有する。
【００７５】
上述の実施形態は本発明を限定するものではなく例示するものであり、当業者は添付のクレームの範囲から逸脱することなく代替的な実施形態を設計することができることが留意されるべきである。クレームにおいて、括弧の間に置かれる任意の参照符号はクレームを限定するものと解釈されてはならない。"有する"という語はクレーム若しくは記載に列挙されていない要素若しくはステップの存在を除外しない。ある要素に先行する"ａ"若しくは"ａｎ"という語はかかる要素の複数の存在を除外しない。複数のユニットを列挙するシステムクレームにおいて、これらのユニットのいくつかはソフトウェア及び／又はハードウェアの一つの同じ項目によって具体化され得る。第１、第２及び第３などといった語の使用はいかなる順序を示すものでもない。これらの語は名称として解釈されるものである。
【図１】
0005894609.tif 000002
【図２】
0005894609.tif 000003
【図３】
0005894609.tif 000004
【図４】
0005894609.tif 000005